(57)【要約】【課題】  赤外線無線通信によりリモートコントローラを用いて映像データの再生を簡単に行わせる場合に、映像データを簡単な構造で高速に再生することを可能とする。【解決手段】  第１の通信インタフェイス部２５は、アナログ形式の映像データとリモートコントローラから送信されたコマンド信号に応じたデジタル形式のテキストデータとを赤外線無線通信用データに変換する送信回路２５ｂ及び赤外線無線通信用データを赤外線光に変換して発信する通信ドライバ２５ｃを有し、第２の通信インタフェイス部４０は、通信ドライバ２５ｃから発信された赤外線光を受信する受光素子４０ａ及び赤外線光を赤外線無線通信用データに変換し赤外線無線通信用データから映像データとテキストデータとに分離出力する受信回路４０ｃを有することを特徴とする。【選択図】  図５
2006089273.tif 000002
【特許請求の範囲】
【請求項１】
エレベータかご内をカメラユニットで撮像し映像データを画像記録装置に記録する監視ユニットと、
前記監視ユニットにコマンド信号を送信することにより前記監視ユニットを遠隔操作するリモートコントローラと、
前記監視ユニット側に設けられた第１の通信インタフェイス部と、
前記リモートコントローラ側に設けられた第２の通信インタフェイス部とを備え、
前記第１の通信インタフェイス部は、アナログ形式の映像データと前記リモートコントローラから送信されたコマンド信号に応じたデジタル形式のテキストデータとを赤外線無線通信用データに変換するデータ送信変換部及び前記赤外線無線通信用データを赤外線光に変換して発信する送信部を有し、
前記第２の通信インタフェイス部は、前記送信部から発信された赤外線光を受信する受信部及び前記赤外線光を赤外線無線通信用データに変換し赤外線無線通信用データから前記映像データと前記テキストデータとに分離出力するデータ受信変換部を有する
ことを特徴とするエレベータかご内監視システム。
【請求項２】
請求項１記載のエレベータかご内監視システムであって、
前記データ送信変換部は、前記映像データを入力可能な画像入力端子及び前記テキストデータを入力可能な音声入力端子を備え、
前記データ受信変換部は、前記映像データを出力可能な画像出力端子及び前記テキストデータを出力可能な音声出力端子を備えた
ことを特徴とするエレベータかご内監視システム。
【発明の詳細な説明】
【技術分野】
【０００１】
本発明は、エレベータかご内の映像や音声を記録することによりエレベータかご内を監視するエレベータかご内監視システムに関する。
【背景技術】
【０００２】
従来より、カメラユニットにより撮像されたエレベータかご内の映像や音声を画像記録装置に記録するエレベータかご内監視システムが知られている。この画像記録装置に記録された映像データの再生や各種設定等は、画像記録装置のスイッチ等を直接操作すること、或いは電話回線を利用して遠隔操作すること等により行なわれていた。
【０００３】
しかしながら、画像記録装置のスイッチを直接操作する場合には、画像記録装置がエレベータのかご上等に設置されているとエレベータの運行を一時停止して作業する必要がある等の問題があった。また、電話回線を利用して遠隔操作する場合には、電話回線を利用できなければこの方法を用いることができない等の問題があった。
【０００４】
これに対し、エレベータのかご内で、例えばカメラユニットにモニタ接続用端子を設け、このモニタ接続用端子にリモートコントローラを接続して記録映像データの再生や各種設定等を簡単に行わせるものがある。しかし、この場合は、リモートコントローラの接続作業が煩雑であるという問題があった。
【０００５】
これに対し、既存の赤外線無線通信技術を利用して画像記録装置を遠隔操作する方法も考えられるが、一般に、カメラユニットにより撮像される映像データはデジタル形式であるために、既存の赤外線無線通信技術を利用して画像記録装置を遠隔操作した場合、容量の大きな画像データの伝送に時間がかかり、高速に伝送することが困難であるという問題がある。
【０００６】
また、この場合、通信プロトコルを成立させるために、ＩｒＤＡ（Infrared Data Association）モジュール，通信制御用のマイコンモジュール，ＬＡＮ（Local Area Network）カード及びその制御用モジュール等のハードウェア要素を画像記録装置側及びリモートコントローラ側の双方に設ける必要性が生じるため、エレベータかご内監視システム全体のハードウェア構成が大規模になるという問題がある。さらに、画像記録装置とリモートコントローラとの間で送受信されるテキストデータそのものが複雑な構成になるとともに、制御プログラムが必要以上に大規模になるという問題もある。
【０００７】
【特許文献１】特開２０００−１４３１２８号公報
【発明の開示】
【発明が解決しようとする課題】
【０００８】
解決しようとする問題点は、赤外線無線通信によりリモートコントローラを用いて映像データの再生を簡単に行わせる場合に、映像データを簡単な構造で高速に再生することが困難な点である。
【課題を解決するための手段】
【０００９】
本発明のエレベータかご内監視システムは、赤外線無線通信によりリモートコントローラを用いて映像データの再生を簡単に行わせる場合に、映像データを簡単な構造で高速に再生するために、監視ユニット側に設けられた第１の通信インタフェイス部と、リモートコントローラ側に設けられた第２の通信インタフェイス部とを備え、前記第１の通信インタフェイス部は、アナログ形式の映像データと前記リモートコントローラから送信されたコマンド信号に応じたデジタル形式のテキストデータとを赤外線無線通信用データに変換するデータ送信変換部及び前記赤外線無線通信用データを赤外線光に変換して発信する送信部を有し、前記第２の通信インタフェイス部は、前記送信部から発信された赤外線光を受信する受信部及び前記赤外線光を赤外線無線通信用データに変換し赤外線無線通信用データから前記映像データと前記テキストデータとに分離出力するデータ受信変換部を有することを最も主要な特徴とする。
【発明の効果】
【００１０】
本発明に係るエレベータかご内監視システムは、赤外線無線通信によりリモートコントローラを用いて映像データの再生を簡単に行わせる場合に、映像データを簡単な構造で高速に再生するために、監視ユニット側に設けられた第１の通信インタフェイス部と、リモートコントローラ側に設けられた第２の通信インタフェイス部とを備え、前記第１の通信インタフェイス部は、アナログ形式の映像データと前記リモートコントローラから送信されたコマンド信号に応じたデジタル形式のテキストデータとを赤外線無線通信用データに変換するデータ送信変換部及び前記赤外線無線通信用データを赤外線光に変換して発信する送信部を有し、前記第２の通信インタフェイス部は、前記送信部から発信された赤外線光を受信する受信部及び前記赤外線光を赤外線無線通信用データに変換し赤外線無線通信用データから前記映像データと前記テキストデータとに分離出力するデータ受信変換部を有するため、リモートコントローラは、監視ユニットに対して赤外線無線通信することができ、画像記録装置の位置に係わらずリモートコントローラにより映像データの再生を簡単に行わせることができる。
【００１１】
また、画像記録装置の映像データはアナログ形式で伝送し、テキストデータをデジタル形式で同時に伝送することができ、高速に伝送して再生させることができる。
【００１２】
さらに、アナログ形式の映像データ及びデジタル形式のテキストデータをデータ送信変換部により赤外線無線通信用データに変換して赤外線無線通信を行うため、ハードウェア構成、制御プログラム、及びテキストデータを簡単な構成にすることができる。
【００１３】
前記データ送信変換部が、前記映像データを入力可能な画像入力端子及び前記テキストデータを入力可能な音声入力端子を備え、前記データ受信変換部が、前記映像データを出力可能な画像出力端子及び前記テキストデータを出力可能な音声出力端子を備えた場合は、映像データを画像入出力端子により、テキストデータを音声入出力端子により伝送することができ、簡単な構造で高速に伝送して再生させることができる。
【発明を実施するための最良の形態】
【００１４】
赤外線無線通信によりリモートコントローラを用いて映像データの再生を簡単に行わせる場合に、映像データを簡単な構造で高速に再生するという目的を、ハードウェア構成や制御プログラム等の規模を増大せずに実現した。
【実施例１】
【００１５】
図１〜図５は、本発明の実施例１に係り、図１は、エレベータかご内監視システムの全体構成を示すブロック図、図２は、画像記録装置の内部構成を示すブロック図、図３は、多機能ドームカメラの内部構成を示すブロック図、図４は、リモートコントローラの内部構成を示すブロック図、図５は、多機能ドームカメラ及びリモートコントローラ内に設けられた通信インタフェイス部の構成を示すブロック図である。
［エレベータかご内監視システム］
本発明の実施例１のエレベータかご内監視システム１は、図１に示すように、エレベータかご側に設けられた監視ユニット２と、エレベータかごを監視する管理者により操作されるリモートコントローラ３とを主な構成要素として備え、監視ユニット２とリモートコントローラ３とは、赤外線無線通信により相互に情報通信可能なように構成されている。
【００１６】
監視ユニット２は、画像記録装置４とカメラユニットとしての多機能ドームカメラ５とを有する。画像記録装置４と多機能ドームカメラ５とは、有線接続により互いに電気的に接続されている。
[画像記録装置]
画像記録装置４は、エレベータかご上やエレベータかごの屋根裏部分等、エレベータかごの乗員が直接手で触れることができない場所に設けられている。但し、画像記録装置４は、エレベータかご内に設置することもできる。
【００１７】
画像記録装置４は、図２に示すように、ビデオコーデック１１，ＪＰＥＧ（Joint Photographic Experts Group）コーデック１２，ＰＣＭ（Pulse Code Modulation）コーデック１３，メモリ部１４，ビデオドライバー１５，ＲＳ４２２（Recommended Standard 422）ドライバー１６，及びＣＰＵ（Central Processing Unit）１７を備えている。なお、画像記録装置４は、多機能ドームカメラ５に電力を供給し、多機能ドームカメラ５を駆動可能なように構成されている。
【００１８】
ビデオコーデック１１は、アナログ信号をデジタル信号に変換、及びデジタル信号をアナログ信号に変換する電子回路又はソフトウェアにより構成される。ビデオコーデック１１は、入力端子ＩＮ１から入力されるアナログ形式の映像データをアナログ／デジタル（Ａ／Ｄ）変換した後、輝度信号（Ｙ）／色信号(Ｃ)分離してＪＰＥＧコーデック１２に出力する。また、ビデオコーデック１１は、ＪＰＥＧコーデック１２から入力されるデジタル形式の映像データをＹ／Ｃ合成及びデジタル／アナログ（Ｄ／Ａ）変換した後、ビデオドライバー１５に出力する。
【００１９】
ＪＰＥＧコーデック１２は、デジタルデータを圧縮・伸張するソフトウェアにより構成される。ＪＰＥＧコーデック１２は、ビデオコーデック１１から入力された映像データを圧縮してメモリ部１４の一時記録領域（ＤＲＡＭ等）に記録する。また、ＪＰＥＧコーデック１２は、ＣＰＵ１７からの指示に従って、メモリ部１４の保存領域（ハードディスク等）に記録されている映像データを伸張してビデオコーデック１１に出力する。
【００２０】
ＰＣＭコーデック１３は、アナログ信号をＰＣＭ（Pulse Code Modulation）方式でデジタルデータに変換、及びデジタル信号をアナログ信号に変換する電子回路又はソフトウェアにより構成される。ＰＣＭコーデック１３は、入力端子ＩＮ２から入力されるアナログ形式の音声データをＡ／Ｄ変換した後、映像データと関連付けしてメモリ部１４の一時記録領域に記録する。また、ＰＣＭコーデック１３は、ＣＰＵ１７からの指示に従って、メモリ部１４の保存領域に記録されている音声データをＤ／Ａ変換した後、出力端子ＯＵＴ２から出力する。
【００２１】
ビデオドライバー１５は、アナログ形式の映像データの画像処理を行うソフトウェアにより構成される。ビデオドライバー１５は、ＪＰＥＧコーデック１２で伸長された圧縮映像データがビデオコーデック１１を介して入力され、画像処理して出力端子ＯＵＴ１から出力する。
【００２２】
ＲＳ４２２ドライバ１６は、ＲＳ４２２形式でシリアル通信を行う電子回路又はソフトウェアにより構成される。ＲＳ４２２ドライバ１６は、通信端子ＣＯＭ１を介して多機能ドームカメラ５と接続され、リモートコントローラ３から各種コマンド信号（例えば、画像記録指示，画像再生指示，設定変更指示等）やトリガ信号が入力されるのに応じて、コマンド信号やトリガ信号をＣＰＵ１７に入力する。また、ＲＳ４２２ドライバ１６は、ＣＰＵ１７から入力されるステータス信号をテキストデータとして通信端子ＣＯＭ１を介して多機能ドームカメラ５へ出力する。テキストデータは、例えば、コマンドによる確認用のデータ、各種操作のためのメニュー表示等である。
【００２３】
ＣＰＵ１７は、一般的な演算処理装置により構成される。ＣＰＵ１７は、多機能ドームカメラ５から送信されたコマンド信号やトリガ信号に従って、画像記録装置４全体の動作を制御する。具体的には、ＣＰＵ１７は、多機能ドームカメラ５からトリガ信号が入力されるのに応じて、ビデオコーデック１１，ＪＰＥＧコーデック１２，ＰＣＭコーデック１３を制御することにより、メモリ部１４の一時記憶領域に記録されているトリガ信号入力前後の映像データや音声データをメモリ部１４の保存領域に記録する。なお、ＣＰＵ１７は、多機能ドームカメラ５からのトリガ信号の有無に係わらず、エレベータかご内の画像や音声のデータを常にメモリ部１４の保存領域に記録する構成としてもよい。
【００２４】
また、ＣＰＵ１７は、多機能ドームカメラ５からエレベータかご内の画像や音声の再生を指示するコマンド信号が入力されるのに応じて、ビデオコーデック１１，ＪＰＥＧコーデック１２，ＰＣＭコーデック１３，ビデオドライバー１５を制御することにより、メモリ部１４内の保存領域に記録されているエレベータかご内の画像や音声のデータを多機能ドームカメラ５に出力する。また、ＣＰＵ１７は、多機能ドームカメラ５から各種設定の変更を指示するコマンド信号が入力されるのに応じて、メモリ部１４等の記録領域に記憶されている各種設定情報を変更する。さらに、ＣＰＵ１７は、画像記録装置４の稼働状況や処理状況を示す信号をステータス信号としてＲＳ４２２ドライバ１６に出力する。
[多機能ドームカメラ]
前記多機能ドームカメラ５は、エレベータかご内が監視できるように設置され、特に乗員が検出できるように配置され、例えば、撮像方向を下方にしてエレベータかごの天井部分に取り付けられている。
【００２５】
図３のように、多機能ドームカメラ５は、ＣＣＤ（Charge Coupled Devices）カメラ２１，人体センサ２２，インジケーター２３，第１の通信インタフェイス部２５、伝送手段２６を備えている。
【００２６】
ＣＣＤカメラ２１は、ＣＣＤ撮像素子と、ＣＣＤ撮像素子の出力電圧を電気信号に変換する画像処理装置とを備える。ＣＣＤカメラ２１は、エレベータかご内の画像を撮像し、出力端子ＯＵＴ３を介して撮像された画像のデータを画像記録装置２の入力端子ＩＮ１に出力する。
【００２７】
人体センサ２２は、例えば赤外線方式の人体検出センサにより構成される。人体センサ２２は、エレベータかご内における乗員の有無を検出し、エレベータかご内に乗員がいる場合、通信端子ＣＯＭ２を介してトリガ信号を画像記録装置４の通信端子ＣＯＭ１からＲＳ４２２ドライバ１６に入力する。
【００２８】
インジケーター２３は、ＬＥＤ（Light Emitting Diode）等の表示装置により構成され、入力端子ＩＮ３を介して画像記録装置４から入力されるステータス信号に従って、正常稼働，異常発生等の画像記録装置４のステータスを点灯や点滅により通知する。
【００２９】
マイクロフォン２４は、一般的な集音装置により構成される。マイクロフォン２４は、エレベータかご内の音声を収集し、収集された音声のデータを出力端子ＯＵＴ４を介して画像記録装置２の入力端子ＩＮ２に入力する。
【００３０】
第１の通信インタフェイス部２５は、画像記録装置４の出力端子ＯＵＴ１から入力端子ＩＮ４に入力されたアナログ形式の映像データと画像記録装置４の通信端子ＣＯＭ１から通信端子ＣＯＭ３に入力されたテキストデータとを赤外線無線通信用データに変換すると共に変換された赤外線無線通信用データを赤外線光に変換して発信する。
【００３１】
伝送手段２６は、ＲＦモジュレータなどで構成され、画像記録装置４の出力端子ＯＵＴ２から入力端子ＩＮ５に入力されたアナログ形式の音声データを出力する。
[リモートコントローラ]
前記リモートコントローラ３は、持ち運びが容易な形状にまとめられている。
【００３２】
リモートコントローラ３は、図４に示すように、受信部２７，ＬＣＤ（Liquid Crystal Display）３１，スピーカ３２，ビデオコーデック３３，ＪＰＥＧコーデック３４，ＰＣＭコーデック３５，ＯＳＤ（On Screen Display）３６，メモリ部３７，操作スイッチ３８，ＣＰＵ３９，及び第２の通信インタフェイス部４０を備え、図示しない内蔵電池により駆動される。
【００３３】
ＬＣＤ３１は、一般的な液晶表示装置により構成され、監視ユニット２のビデオドライバ１５及びＲＳ４２２ドライバ１６から送信された映像データやテキストデータを再生表示する。
【００３４】
スピーカ３２は、一般的な音声出力装置により構成され、監視ユニット２の伝送手段２６から伝送され受信部２７で受信された音声データを再生出力する。
【００３５】
ビデオコーデック３３は、アナログ信号をデジタルデータに変換する電子回路又はソフトウェアにより構成される。ビデオコーデック３３は、監視ユニット２から送信された映像データをＡ／Ｄ変換した後、Ｙ／Ｃ分離してＪＰＥＧコーデック３４に出力する。
【００３６】
ＪＰＥＧコーデック３４は、デジタルデータを圧縮・伸張するソフトウェアにより構成される。ＪＰＥＧコーデック３４は、ビデオコーデック３３から入力された映像データを圧縮してメモリ部３７に記録する。
【００３７】
ＰＣＭコーデック３５は、アナログ信号をＰＣＭ方式でデジタルデータに変換する電子回路又はソフトウェアにより構成される。ＰＣＭコーデック３５は、監視ユニット２の伝送手段２６から伝送され受信部２７で受信された音声データをＡ／Ｄ変換した後、メモリ部３７に記録する。
【００３８】
ＯＳＤ３６は、管理者が各種設定値や制御値をＬＣＤ３１の一部に表示しながら設定できるようにしたＬＣＤ３１の機能であり、ソフトウェアにより構成される。このＯＳＤ３６により、管理者は、操作スイッチ３８を操作することによって容易に監視ユニット２の各種設定や制御を行うことができる。
【００３９】
メモリ部３７は、ＡＴＡ（AT Attachment）フラッシュカード，コンパクトフラッシュ（登録商標）カード等のリモートコントローラ３から脱着可能な記録媒体により構成され、ＪＰＥＧコーデック３４やＰＣＭコーデック３５から出力される映像データや音声データを記録する。メモリ部３７をリモートコントローラ３から脱着可能なように構成することにより、管理者は、パソコン等の他の情報処理装置上でメモリ部３７内に記録されているデータを確認することができる。
【００４０】
第２の通信インタフェイス部４０は、前記赤外線光を受信すると共に受信された赤外線光を赤外線無線通信用データに変換して前記映像データ及びテキストデータを分離出力する。
[第１の通信インターフェイス部]
前記第１の通信インターフェイス部２５は、図５に示すように、ＲＳ４２２インタフェイス部２５ａ，送信回路２５ｂ，通信ドライバ２５ｃ，受信回路２５ｄ，及び増幅回路２５ｅを備え、画像記録装置４とリモートコントローラ３との間の赤外線無線通信を制御する。
【００４１】
ＲＳ４２２インタフェイス部２５ａは、ＲＳ４２２形式でシリアル通信を行う電子回路又はソフトウェアにより構成される。ＲＳ４２２インタフェイス部２５ａは、その通信端子ＣＯＭ３及び画像記録装置２の通信端子ＣＯＭ１を介してテキストデータを送受信する。
【００４２】
送信回路２５ｂは、データ送信変換部であり、前記コマンド信号に応じて画像記録装置４から映像データを入力すると共に、画像記録装置４から返信され前記ＲＳ４２２インタフェイス部２５ａで受信されたテキストデータを入力する。
【００４３】
送信回路２５ｂは、例えば、ＳＡＮＹＯ（登録商標）社製のＡＶカプラチップセット（型番：ＬＡ９５１１ｗ）により構成され、画像入力端子及び音声入力端子を備えている。
【００４４】
送信回路２５ｂの画像入力端子には、画像記録装置４の出力端子ＯＵＴ１（図２）が接続され、送信回路２５ｂの音声入力端子には、ＲＳインタフェイス２５ａが接続されている。
【００４５】
送信回路２５ｂの出力側は、通信ドライバ２５ｃに接続され、画像入力端子に入力されたアナログ形式の映像データと音声入力端子に入力されたデジタル形式のテキストデータとを赤外線無線通信用データに変換して通信ドライバ２５ｃに出力する。
【００４６】
通信ドライバ２５ｃは、送信部であり、赤外線ＬＥＤ（Light Emitting Diode）と赤外線ＬＥＤを駆動するドライバ回路により構成される。通信ドライバ２５ｃは、送信回路２５ｂから入力された赤外線無線通信用データを赤外線光に変換して発信する。
【００４７】
受信回路２５ｄは、赤外線受光素子と赤外線受光素子を駆動するドライバ回路とにより構成される。受信回路２５ｄは、リモートコントローラ３から発せられた赤外線光を受信し、受信した赤外線光を赤外線無線通信用データに変換して増幅回路２５ｅに入力する。
【００４８】
増幅回路２５ｅは、一般的な増幅素子により構成される。増幅回路２５ｅは、受信回路２５ｄから入力された赤外線無線通信用データを所定値まで増幅した後、増幅された赤外線用無線通信用データをコマンド信号としてＲＳ４２２インタフェイス部２５ａに入力する。
[第２の通信インターフェイス部]
前記第２の通信インタフェイス部４０は、図５に示すように、受光素子４０ａ，増幅回路４０ｂ，受信回路４０ｃ，及び通信ドライバ４０ｄを備える。
【００４９】
受光素子４０ａは、受信部であり、赤外線受光素子により構成されている。受光素子４０ａは、通信ドライバ２５ｃから発せられた赤外線光を受信し、受信した赤外線光を増幅回路４０ｂに入力する。
【００５０】
増幅回路４０ｂは、一般的な増幅素子により構成される。増幅回路４０ｂは、受光素子４０ａから入力された赤外線光を所定値まで増幅した後、受信回路４０ｃに入力する。
【００５１】
受信回路４０ｃは、データ受信変換部であり、赤外線光を赤外線無線通信用データに変換し赤外線無線通信用データから前記映像データと前記テキストデータとに分離出力する。
【００５２】
受信回路４０ｃは、例えば、ＳＡＮＹＯ（登録商標）社製のＡＶカプラチップセット（型番：ＬＡ９５２０ｖ）により構成され、その入力端子には増幅回路４０ｂが接続されている。また、受信回路４０ｃの画像出力端子及び音声出力端子にはビデオコーデック３３及びＣＰＵ３９が各別に接続されている。受信回路４０ｃは、増幅回路４０ｂから入力された赤外線無線用データから映像データとテキストデータとを分離し、映像データとテキストデータとをそれぞれ画像出力端子及び音声出力端子から出力する。
【００５３】
通信ドライバ４０ｄは、赤外線ＬＥＤと赤外線ＬＥＤを駆動するドライバ回路により構成される。通信ドライバ４０ｄは、ＣＰＵ３９から入力されたコマンド信号を赤外線光に変換し、受信回路２５ｄに対して発信する。
【００５４】
次に作用を説明する。
【００５５】
多機能ドームカメラ５及びマイクロフォン２４は、常時動作している。かご内の乗員の有無に係わらず、映像データ及び音声データは、多機能ドームカメラ５の出力端子ＯＵＴ３，ＯＵＴ４から画像記録装置４の入力端子１Ｎ１，ＩＮ２に入力され、前記のようにしてメモリ部１４に記録される。この記録は、例えば、最新の一定時間分のみとなっている。
【００５６】
乗員がかごに乗り込むと、人体センサ２２がこれを感知し、通信端子ＣＯＭ２，ＣＯＭ１を介してトリガ信号がＲＳ４２２ドライバ１６に入力され、ＣＰＵ１７の制御によりトリガ信号入力前又は後の映像データがハードディスク等に記録される。なお、映像の記録は、トリガ信号に係わらず、常時記録することも可能である。
【００５７】
映像データの再生等は、リモートコントローラ３の操作スイッチ３８を操作することにより行う。例えば、映像データを確認するときは、エレベータかご内で操作スイッチ３８により年月日、時刻を入力すると、赤外線無線通信によりＬＣＤ３１に映像データを表示させることができる。
【００５８】
すなわち、前記入力によりコマンド信号が前記のようにリモートコントローラ３の通信ドライバ４０ｄから多機能ドームカメラ５の受信回路２５ｄ，増幅回路２５ｅ，ＲＳインタフェイス部２５ａと信号が伝送され、画像記録装置４のＲＳ４２２ドライバ１６からＣＰＵ１７へ入力される。
【００５９】
ＣＰＵ１７の制御により前記のように画像記録装置４の出力端子ＯＵＴ１から多機能ドームカメラ５の入力端子ＩＮ４にアナログ形式の映像データが入力される。画像記録装置４の出力端子ＯＵＴ２からは、多機能ドームカメラ５の入力端子ＩＮ５にアナログ形式の音声データが入力される。画像記録装置４の通信端子ＣＯＭ１からは、多機能ドームカメラ５の通信端子ＣＯＭ３にテキストデータが送信される。
【００６０】
従って、多機能ドームカメラ５の入力端子ＩＮ４から送信回路２５ｂの映像入力端子にアナログ形式の映像データが入力され、同音声入力端子にデジタル形式のテキストデータが入力される。
【００６１】
送信回路２５ｂは、映像データ及びテキストデータを赤外線無線通信用データに変換して通信ドライバ２５ｃに出力し、通信ドライバ２５ｃは、赤外線無線通信用データを赤外線光に変換して発信する。
【００６２】
前記赤外線光の発信は、リモートコントローラ３の受光素子４０ａで受信され、前記のように増幅回路４０ｂ，受信回路４０ｃを経て映像データとテキストデータがそれぞ出力され、映像データはビデオコーデックに、テキストデータはＣＰＵ３９に入力される。
【００６３】
従って、ＬＣＤ３１に映像データを再生させ、テキストデータを表示させることができる。
【００６４】
なお、アナログ形式の音声データは、多機能ドームカメラ５の伝送手段２６からリモートコントローラ３の受信部２７に受信され、スピーカ３２で再生される。
【００６５】
映像データ及び音声データは、前記のようにビデオコーデック３３，ＰＣＭコーデックでデジタルデータ化され、必要に応じてメモリ部３７に記録することができる。
【００６６】
以上、リモートコントローラ３は、監視ユニット２に対して赤外線無線通信することができ、画像記録装置４の位置に係わらずリモートコントローラ３により映像データの再生を簡単に行わせることができる。
【００６７】
また、画像記録装置４の映像データをアナログ形式で伝送し、テキストデータをデジタル形式で同時に伝送することができ、高速に伝送して再生させることができる。
【００６８】
さらに、アナログ形式の映像データ及びデジタル形式のテキストデータを送信回路２５ｂにより赤外線無線通信用データに変換して赤外線無線通信を行うため、ハードウェア構成、制御プログラム、及びテキストデータを簡単な構成にすることができる。
【図面の簡単な説明】
【００６９】
【図１】エレベータかご内監視システムの全体構成を示すブロック図である（実施例１）。
【図２】画像記録装置の内部構成を示すブロック図である（実施例１）。
【図３】多機能ドームカメラの内部構成を示すブロック図である（実施例１）。
【図４】リモートコントローラの内部構成を示すブロック図である（実施例１）。
【図５】多機能ドームカメラ及びリモートコントローラ内に設けられた通信インタフェイス部の構成を示すブロック図である（実施例１）。
【符号の説明】
【００７０】
１：エレベータかご内監視システム
２：監視ユニット
３：リモートコントローラ
４：画像記録装置
５：多機能ドームカメラ（カメラユニット）
２５：通信インタフェイス部（第１の通信インタフェイス部）
２５ｂ：送信回路（データ送信変換部）
２５ｃ：通信ドライバ（送信部）
４０：通信インタフェイス部（第２の通信インタフェイス部）
４０ａ：受光素子（受信部）
４０ｃ：受信回路（データ受信変換部）
【図１】
2006089273.tif 000003
【図２】
2006089273.tif 000004
【図３】
2006089273.tif 000005
【図４】
2006089273.tif 000006
【図５】
2006089273.tif 000007